(57)【特許請求の範囲】
【請求項１】
カードエッジ状の接続凸部がビデオプロセッサに設けられたレセプタクルに接続されるプラグを有する内視鏡用コネクタ装置において、
前記接続凸部は、
略箱形形状の絶縁部材から成り、
前記略箱形形状の絶縁部材の接点面を有する第１の面と、前記第１の面の反対に設けられた接点面を有する第２の面とを略平面として構成し、
前記第１及び前記第２の面のそれぞれに、前記第１及び前記第２の面によって絶縁された複数の電気接点を有し、
前記複数の電気接点は、前記ビデオプロセッサから内視鏡用撮像装置または電子式内視鏡へ＋電圧で電力を供給するための複数の電気接点と、前記ビデオプロセッサから前記内視鏡用撮像装置または前記電子式内視鏡へ−電圧で電力を供給するための複数の電気接点と、前記ビデオプロセッサと前記内視鏡用撮像装置または前記電子式内視鏡との間の信号を送受するための複数の電気接点とを含み、
前記＋電圧で電力を供給するための前記複数の電気接点のそれぞれは、前記第１の面に設けられるとともに、前記＋電圧で電力を供給するための他の電気接点または前記信号を送受するための前記複数の電気接点のうち正電位にプルアップされている電気接点に隣接して配置され、
前記−電圧で電力を供給するための前記複数の電気接点のそれぞれは、前記第２の面に設けられるとともに、前記−電圧で電力を供給するための他の電気接点に隣接して配置されている
ことを特徴とする内視鏡用コネクタ装置。
【請求項２】
前記正電位にプルアップされている前記複数の電気接点のそれぞれは、所定の機能の実施を指示するために前記内視鏡用撮像装置または前記電子式内視鏡に設けられた複数のスイッチのいずれかからの指示信号が供給される電気接点であることを特徴とする請求項１に記載の内視鏡用コネクタ装置。
【発明の詳細な説明】
【技術分野】
【０００１】
本発明は、内視鏡の接眼部に取り付けられ内視鏡像を撮像するための撮像素子を設けた内視鏡用撮像装置または内視鏡先端部に撮像素子を設けた電子式内視鏡に設けられたプラグをレセプタクルに接続し、上述した撮像素子からの情報をビデオプロセッサに伝送するための内視鏡用コネクタ装置に関する。
【背景技術】
【０００２】
プラグの接点部及び本体部が角形のいわゆるカードエッジ式の内視鏡用コネクタ装置が特開平６−２５１８２８号公報等において提案されている。
【０００３】
また、特開平６−２５１８２８号公報における内視鏡用コネクタ装置がプラグの接点面の領域に凹凸が形成されているため、接点面に凹凸部が存在することによってプラグの接点面の洗浄・消毒・滅菌がしにくくなるだけでなく、洗浄・消毒・滅菌によって、接点面の凹凸部に水や薬液が溜まり易く、接点面を十分に乾燥させる手間や時間が多くかかるという問題があるという点に着目し、プラグの接点面を略平面とした内視鏡用コネクタ装置が特開２００２−２１６９０２号公報に提案されている。
【特許文献１】特開平６−２５１８２８号公報
【特許文献２】特開２００２−２１６９０２号公報
【発明の開示】
【発明が解決しようとする課題】
【０００４】
しかしながら、特開２００２−２１６９０２号公報提案の内視鏡用コネクタ装置は、プラグの接点面の洗浄性や水切れに優れてはいるが、プラグの接点面を確実に乾燥させるにはやはり時間を有し、プラグの接点面で接点間が電気的に短絡することを確実に防止することが難しいといった問題を有している。
【０００５】
本発明は、上記事情に鑑みてなされたものであり、プラグの接点面で接点間が電気的に短絡しても、内視鏡用撮像装置あるいは電子式内視鏡やビデオプロセッサへの電気的な影響を最小限度に抑制することのできる内視鏡用コネクタ装置を提供することを目的としている。
【課題を解決するための手段】
【０００６】
本発明の内視鏡用コネクタ装置は、カードエッジ状の接続凸部がビデオプロセッサに設けられたレセプタクルに接続されるプラグを有する内視鏡用コネクタ装置において、前記接続凸部は、略箱形形状の絶縁部材から成り、前記略箱形形状の絶縁部材の接点面を有する第１の面と、前記第１の面の反対に設けられた接点面を有する第２の面とを略平面として構成し、前記第１及び前記第２の面のそれぞれに、前記第１及び前記第２の面によって絶縁された複数の電気接点を有し、前記複数の電気接点は、前記ビデオプロセッサから内視鏡用撮像装置または電子式内視鏡へ＋電圧で電力を供給するための複数の電気接点と、前記ビデオプロセッサから前記内視鏡用撮像装置または前記電子式内視鏡へ−電圧で電力を供給するための複数の電気接点と、前記ビデオプロセッサと前記内視鏡用撮像装置または前記電子式内視鏡との間の信号を送受するための複数の電気接点とを含み、前記＋電圧で電力を供給するための前記複数の電気接点のそれぞれは、前記第１の面に設けられるとともに、前記＋電圧で電力を供給するための他の電気接点または前記信号を送受するための前記複数の電気接点のうち正電位にプルアップされている電気接点に隣接して配置され、前記−電圧で電力を供給するための前記複数の電気接点のそれぞれは、前記第２の面に設けられるとともに、前記−電圧で電力を供給するための他の電気接点に隣接して配置されて構成される。  
【発明の効果】
【０００７】
本発明によれば、プラグの接点面で接点間が電気的に短絡しても、内視鏡用撮像装置あるいは電子式内視鏡やビデオプロセッサへの電気的な影響を最小限度に抑制することができるという効果がある。
【発明を実施するための最良の形態】
【０００８】
以下、図面を参照しながら本発明の実施例について述べる。
【実施例１】
【０００９】
図１ないし図８は本発明の実施例１に係わり、図１は内視鏡装置の構成を示す構成図、図２は図１の内視鏡用撮像カメラ装置の構成を示すブロック図、図３は図１の電子内視鏡の構成を示すブロック図、図４は図１のビデオプロセッサの構成を示すブロック図、図５は図４の第１のアイソレーション回路の構成を示す図、図６は図４の第１のアイソレーション回路の変形例の構成を示す図、図７は図１の内視鏡用コネクタ装置を矢印Ａからみた矢視図、図８は図７の電気接点の割付を説明図である。
【００１０】
図１に示すように、本実施例の内視鏡用コネクタ装置１は、内視鏡撮像信号を信号処理しＴＶモニタ２に内視鏡画像を表示するビデオプロセッサ３に接続するために、電子内視鏡４あるいは図示しない内視鏡の接眼部に取り付けられる内視鏡用撮像カメラ装置５より延出したケーブル６の先端部に設けられている。
【００１１】
内視鏡用撮像カメラ装置５は、図２に示すように、内視鏡像をＲＧＢに色分離する色分離プリズム１１と、色分離プリズム１１で色分離されたＲ帯域の内視鏡像を撮像するＲ−ＣＣＤ１２と、色分離プリズム１１で色分離されたＧ帯域の内視鏡像を撮像するＧ−ＣＣＤ１３と、色分離プリズム１１で色分離されたＢ帯域の内視鏡像を撮像するＢ−ＣＣＤ１４と、Ｒ−ＣＣＤ１２からの光電変換信号を相関二重サンプリングするＲ−ＣＤＳ１５と、Ｇ−ＣＣＤ１２からの光電変換信号を相関二重サンプリングするＧ−ＣＤＳ１６と、Ｂ−ＣＣＤ１２からの光電変換信号を相関二重サンプリングするＢ−ＣＤＳ１７と、前記Ｒ−ＣＣＤ１２、Ｇ−ＣＣＤ１３、Ｂ−ＣＣＤ１４を駆動する駆動信号とＲ−ＣＤＳ１５、Ｇ−ＣＤＳ１６、Ｂ−ＣＤＳ１７におけるサンプリング信号等を生成するタイミングジェネレータ１８と、内視鏡用撮像カメラ装置５の種別を判別させるための識別抵抗１９と、内視鏡用撮像カメラ装置５の本体外周面に設けられた各種機能の実施を指示する例えば４つのスイッチＳＷ１〜ＳＷ４からなるスイッチ部２０等を備えて構成される。
【００１２】
そして、Ｒ−ＣＤＳ１５、Ｇ−ＣＤＳ１６、Ｂ−ＣＤＳ１７からのＲ−ＣＤＳ信号、Ｇ−ＣＤＳ信号、Ｂ−ＣＤＳ信号、タイミングジェネレータ１８への水平／垂直同期信号及び内部制御信号（ＨＤ，ＶＤ，ＳＣＫ，ＳＤＡＴ，ＳＥＮ，ＧＣＬＫ）、及び識別抵抗１９、スイッチＳＷ１〜ＳＷ４の接点出力が内視鏡用撮像カメラ装置５の内視鏡用コネクタ装置１をビデオプロセッサ３に接続することで、内視鏡用撮像カメラ装置５とビデオプロセッサ３間で送受できるようになっている。
【００１３】
電子内視鏡４は、図３に示すように、内視鏡像の色成分を分離する色分離フィルタ（図示せず）を撮像面に有する挿入部先端に設けられたＣＣＤ３１と、ＣＣＤ３１からの光電変換信号を増幅して出力するアンプ３２と、前記ＣＣＤ３１を駆動する駆動信号とＣＣＤ３１が撮像したアンプ３２を介した信号を相関二重サンプリングするためのサンプリング信号等を生成するタイミングジェネレータ３３と、電子内視鏡４５の種別を判別させるための識別抵抗３４と、電子内視鏡４５の操作部外周面に設けられた各種機能の実施を指示する例えば４つのスイッチＳＷ１〜ＳＷ４からなるスイッチ部３５等を備えて構成される。
【００１４】
そして、アンプ３２の出力信号であるＣＣＤ信号、タイミングジェネレータ３３への水平／垂直同期信号及び内部制御信号（ＨＤ，ＶＤ，ＳＣＫ，ＳＤＡＴ，ＳＥＮ，ＧＣＬＫ）、タイミングジェネレータ３３からのサンプリング信号（ＳＨＰ，ＳＨＤ，ＸＲＳ）及び識別抵抗３４、スイッチＳＷ１〜ＳＷ４の接点出力が電子内視鏡４の内視鏡用コネクタ装置１をビデオプロセッサ３に接続することで、電子内視鏡４とビデオプロセッサ３間で送受できるようになっている。
【００１５】
ビデオプロセッサ３は、図４に示すように、患者回路４１と２次回路４２とからなり、患者回路４１と２次回路４２とは電気的にアイソレーション（絶縁）されている。
【００１６】
内視鏡用撮像カメラ装置５からのＲ−ＣＤＳ信号、Ｇ−ＣＤＳ信号、Ｂ−ＣＤＳ信号は、患者回路４１に設けられている３チャンネルＡ／Ｄ変換器（３ｃｈＡ／Ｄ）４３でそれぞれ１２ビットのデジタル信号に変換され、パラレル／シリアル変換器（Ｐ／Ｓ変換）４４でシリアル信号に変換されて、第１のアイソレーション回路１０１を介して２次回路４２に出力されるようになっている。
【００１７】
第１のアイソレーション回路１０１を介して２次回路４２に伝送されたシリアル信号は、シリアル／パラレル変換器（Ｓ／Ｐ変換）４５でＲＧＢ３チャンネルの１２ビットのパラレル信号に変換され、切替回路４６を介して輪郭強調回路４７に入力される。
【００１８】
輪郭強調回路４７で輪郭強調処理がなされたＲＧＢ信号は、ホワイトバランス回路（Ｗ／Ｂ）４８でホワイトバランスが施され、色補正回路４９にて色補正がなされた後、γ補正回路５０でγ補正され、フレームメモリ５１に格納される。
【００１９】
フレームメモリ５１に格納されたＲＧＢ信号は、エンコーダ５２を介してＴＶモニタ２に出力され、ＴＶモニタ２にて内視鏡画像を表示すると共に、圧縮回路５３にも出力される。圧縮回路５３では、内視鏡画像より例えばＭＰＥＧ等の圧縮画像を生成し、外部メモリ制御回路５４を介して図示しない外部メモリに圧縮画像を記録させることができるようになっている。
【００２０】
電子内視鏡４からのＣＣＤ信号は、患者回路４１に設けられているＣＤＳ６１でタイミングジェネレータ３３からのサンプリング信号（ＳＨＰ，ＳＨＤ，ＸＲＳ）により相関二重サンプリングされ、Ａ／Ｄ変換器（Ａ／Ｄ）６２でデジタル化された後、パラレル／シリアル変換器（Ｐ／Ｓ変換）６３でシリアル信号に変換されて、第２のアイソレーション回路１０２を介して２次回路４２に出力されるようになっている。
【００２１】
第２のアイソレーション回路１０２を介して２次回路４２に伝送されたシリアル信号は、シリアル／パラレル変換器（Ｓ／Ｐ変換）６４でパラレル信号に変換され、色分離回路６５及びＲＧＢマトリックス回路６６を介してＲＧＢ信号に変換された後、切替回路４６に出力される。切替回路４６以降は、前述しているので説明は省略する。
【００２２】
また、輪郭強調回路４７から出力されるＲＧＢ信号は、検波回路６７により検波され、検波結果がシャッタ制御回路６８に出力される。シャッタ制御回路６８では、電子内視鏡４あるいは内視鏡用撮像カメラ装置５のＣＣＤの電子シャッタを制御するシャッタ制御信号を第３のアイソレーション回路１０３を介して患者回路４１側に伝送する。
【００２３】
２次回路４２には発振器６９が設けられており、発振器６９が発振するパルスを基準に同期信号発生器７０が２次回路４２側の各回路に各種タイミング信号を出力するようになっている。また、同期信号発生器７０からのタイミング信号は第４のアイソレーション回路１０４を介して患者回路４１側に伝送されるようになっている。発振器６９が発振するパルスもまた、第５のアイソレーション回路１０５を介して患者回路４１側に伝送されるようになっている。
【００２４】
さらに２次回路４２にはＣＰＵ７１が設けられ、ＣＰＵ７１は第６のアイソレーション回路１０６を介して入力されるスイッチＳＷ１〜ＳＷ４からの信号に基づく制御及び２次回路４２側の各回路の制御を実施するための各種コントロール信号を生成・出力するようになっている。
【００２５】
なお、第２〜第６のアイソレーション回路１０２〜１０６は、例えばフォトカプラ（図示せず）から構成されており、第１のアイソレーション回路１０１は後述するように公知のＬＶＤＳ（低電圧差動信号伝送方式）に規定される規格により信号伝送が行われる。
【００２６】
第５のアイソレーション回路１０５を介して患者回路４１に伝送された発振器６９からのパルスは、分周回路７２及びタイミングコントローラ（Ｔ．Ｃ）７３に入力され、分周回路７２においてＴ．Ｃ７３により制御された周波数に分周されＧＣＬＫとして内視鏡用コネクタ装置１を介して内視鏡用撮像カメラ装置５（あるいは電子内視鏡４）に出力するようになっている。
【００２７】
内視鏡用コネクタ装置１からの識別抵抗１９（あるいは識別抵抗３４）は、プルアップされた分圧抵抗７４に接続され、スコープ検知回路７５において該分圧抵抗７４と識別抵抗１９（あるいは識別抵抗３４）とによる分圧抵抗値（ＳＥＬ）をＡ／Ｄ変換器７６を介して同期信号発生器７０からのタイミング信号に基づいて取り込むことで、スコープ検知回路７５が内視鏡用撮像カメラ装置５（あるいは電子内視鏡４）の種別を検知し、検知結果信号をＴ．Ｃ７３に出力するようになっている。
【００２８】
内視鏡用撮像カメラ装置５（あるいは電子内視鏡４）のＳＷ１〜ＳＷ４はプルアップされた抵抗Ｒ１〜Ｒ４に接続され、ＳＷ１〜ＳＷ４の押下状態をＨｉｇｈ／Ｌｏｗのレベルで検知しリモートＳＷ信号変換器８０でシリアルのＳＷ検知信号に変換した後、第６のアイソレーション回路１０６を介してＣＰＵ７１に出力される。
【００２９】
ここで、ＳＷ１〜ＳＷ４を操作することにより実行される機能は、ビデオプロセッサ３側で設定可能になっている。ＳＷ１〜ＳＷ４は、押下されるとＬｏｗとなり、ＣＰＵ７１に対して設定された機能の実施を指示する。したがって、ＳＷ１〜ＳＷ４からの信号がＨｉｇｈである間は、ＣＰＵ７１は設定された機能の実施を行わない。
【００３０】
なお、ＳＷ１〜ＳＷ４に設定される機能としては、例えばフリーズ指示、レリーズ指示、輪郭強調指示、画像記録指示等の機能であるが、これに限定されない。
【００３１】
Ｔ．Ｃ７３は、発振器６９からのパルス、シャッタ制御回路６８からのシャッタ制御信号及びコープ検知回路７５からの検知結果信号に基づき、内視鏡用撮像カメラ装置５（あるいは電子内視鏡４）の種別に適合した水平／垂直同期信号及び内部制御信号（ＨＤ，ＶＤ，ＳＣＫ，ＳＤＡＴ，ＳＥＮ）を生成すると共に、分周回路７２における分周周波数の制御及び３チャンネルＡ／Ｄ変換器４３、Ａ／Ｄ変換器（Ａ／Ｄ）６２における変換タイミング制御を実行するタイミング信号を出力するようになっている。
【００３２】
また、患者回路４１には、外部供給用の電源回路７７が設けられており、内視鏡用撮像カメラ装置５あるいは電子内視鏡４に最適な電圧（＋１５Ｖ，＋１３Ｖ，＋１２Ｖ，＋７Ｖ，＋５Ｖ，＋３．３Ｖ，−５Ｖ，−７Ｖ等）で電力が供給されるようになっている。
【００３３】
前記第１のアイソレーション回路１０１は、図５に示すように、差動ドライバ１１１と差動レシーバ１１３とから公知のＬＶＤＳ（低電圧差動信号伝送方式）の規格を満たし、パルストランス１１２によりアイソレーションが図られている。このＬＶＤＳにより１２ビット×３の大容量データの高速データ転送が可能となる。
【００３４】
なお、前記第１のアイソレーション回路１０１は、ＬＶＤＳに限らず、例えば、図６に示すように光リンクトランスミッタ１２１、光リンクレシーバ１２２及び光ファイバ１２３よりなる光伝送方式によりアイソレーションが可能な高速データ転送を行うように構成してもよい。
【００３５】
図１に示すように、本実施例の内視鏡用コネクタ装置１は、先端が略薄型箱型形状の絶縁部材からなるカードエッジ１ａの上下面の接点面に複数の例えば金メッキされた電気接点を有するプラグ１ｂからなり、該プラグ１ｂをビデオプロセッサ３の例えば前面に設けられたレセプタクル３ａに挿入・装着することで、ビデオプロセッサ３と内視鏡用撮像カメラ装置５（あるいは電子内視鏡４）が電気的に接続される。
【００３６】
一般に内視鏡検査では、内視鏡用撮像カメラ装置５あるいは電子内視鏡４は、検査が終了すると、オートクレーブ装置等により消毒・滅菌を行い乾燥することで、次の検査に使用可能な状態に保持される。
【００３７】
図１の矢印Ａの矢視図である図７に示すように、カードエッジ１ａの上側接点面をＡ面、下側接点面をＢ面とすると、Ａ面の接点面には複数例えば１７個の電気接点２０１Ａ〜２１７Ａが設けられ、同様Ｂ面の接点面には複数例えば１７個の電気接点２０１Ｂ〜２１７Ｂが設けらている。
【００３８】
各電気接点２０１Ａ〜２１７Ａ、２０１Ｂ〜２１７Ｂには、図８に示すように信号、電源、ＧＮＤが割り付けられている。
【００３９】
ここで、Ａ面とＢ面は絶縁部材から成るカードエッジ１ａの厚み分離れているため、電気接点２０１Ａ〜２１７Ａと電気接点２０１Ｂ〜２１７Ｂとは、仮に洗滌後の乾燥が十分でなくても確実な絶縁状態を保持できるが、Ａ面及びＢ面それぞれの面側においては、隣接する電気接点（例えば電気接点２１０Ａと電気接点２１１Ａ）の絶縁が乾燥状態等に依存することになる。
【００４０】
図７及び図８を参照にまず電源の割付について説明する。図８に示すように、
電圧＋１２Ｖの電源：電気接点２１０Ａ
電圧＋１３Ｖの電源：電気接点２１１Ａ
電圧＋１５Ｖの電源：電気接点２１２Ａ
電圧＋５Ｖの電源：電気接点２１３Ａ
電圧＋３．３Ｖの電源：電気接点２１４Ａ
電圧−７Ｖの電源：電気接点２１４Ｂ
電圧−５Ｖの電源：電気接点２１５Ｂ
電圧＋７Ｖの電源：電気接点２１７Ａ
に割り付けられている。
【００４１】
すなわち、電圧＋１２Ｖの電源、電圧＋１３Ｖの電源、電圧＋１５Ｖの電源、電圧＋５Ｖの電源の各電気接点は隣接しており（電圧＋１２Ｖの電源の他端側の電気接点はプルアップされているスコープ検知信号）、乾燥が不十分で隣接するこれら電圧＋１２Ｖの電源、電圧＋１３Ｖの電源、電圧＋１５Ｖの電源、電圧＋５Ｖの電源が短絡したとしても、これらの電源の電圧は＋側電圧なので、大電流が流れることなくビデオプロセッサ３側の漏電防止機能により電源の出力が容易にオフすることが可能であるで、内視鏡用撮像カメラ装置５あるいは電子内視鏡４及びビデオプロセッサ３に損傷を与えることを防ぐことができる。
【００４２】
同様に、電圧＋７Ｖの電源の電気接点２１７ＡはプルアップされているＳＷ３信号の電気接点に隣接しており、短絡したとしても、内視鏡用撮像カメラ装置５あるいは電子内視鏡４及びビデオプロセッサ３に損傷を与えることを防ぐことができる。
【００４３】
さらに同様に、電圧−７Ｖの電源、電圧−５Ｖの電源の電気接点は隣接しており（電圧−７Ｖの電源の他端側の電気接点はＮＣ（ノンコネクション：開放接点）、電圧−５Ｖの電源の他端側の電気接点はＧＮＤ）、乾燥が不十分で隣接するこれら電圧−７Ｖの電源、電圧−５Ｖの電源が短絡したとしても、これらの電源の電圧は−側電圧なので、大電流が流れることなくビデオプロセッサ３側の漏電防止機能により電源の出力が容易にオフすることが可能であるで、内視鏡用撮像カメラ装置５あるいは電子内視鏡４及びビデオプロセッサ３に損傷を与えることを防ぐことができる。
【００４４】
次に、ＳＷ１〜ＳＷ４の各ＳＷ信号の割付について説明する。
【００４５】
ＳＷ１信号：電気接点２１５Ａ
ＳＷ２信号：電気接点２１２Ｂ
ＳＷ３信号：電気接点２１６Ａ
ＳＷ４信号：電気接点２１１Ｂ
Ａ面側に割り付けられているＳＷ１信号及びＳＷ３信号の電気接点は、互いに隣接しており、また、それぞれの他端側の電気接点は、ＳＷ１信号では電圧＋３．３Ｖの電源、ＳＷ３信号では電圧＋７Ｖの電源となっているので、乾燥が不十分でＳＷ１信号及びＳＷ３信号の電気接点が隣接する電気接点に短絡したとしても、ＳＷ１信号及びＳＷ３信号はＨｉｇｈ状態に固定されるので、内視鏡用撮像カメラ装置５あるいは電子内視鏡４のＳＷ１あるいはＳＷ３が押下されてもＳＷ１信号及びＳＷ３信号はＬｏｗとはならないため、ＳＷ１あるいはＳＷ３の操作が無視されるだけであるので、ＳＷ１あるいはＳＷ３に設定された機能が意図に反して動作することを確実に防止できる。
【００４６】
同様に、Ｂ面側に割り付けられているＳＷ２信号及びＳＷ４信号の電気接点は、互いに隣接しており、また、それぞれの他端側の電気接点は、ＮＣ（ノンコネクション：開放接点）となっているので、ＳＷ２信号及びＳＷ４信号の電気接点が短絡した場合にはＨｉｇｈ状態に固定されるので、ＳＷ２あるいはＳＷ４に設定された機能が意図に反して動作することを確実に防止できる。
【００４７】
また、ＳＷ２信号あるいはＳＷ４信号の電気接点が他端側のＮＣ電気接点に短絡した場合には、ＳＷ２信号あるいはＳＷ４信号には影響が無いために通常のスイッチ機能をほじできる。
【００４８】
このように本実施例では、電源系の電気接点が隣接する電気接点に短絡しても、内視鏡用撮像カメラ装置５あるいは電子内視鏡４及びビデオプロセッサ３に損傷を与えることを防ぐことができる。また、ＳＷ１〜ＳＷ４の電気接点が隣接する電気接点に短絡しても、最悪の場合であっても、スイッチ指示が無視されるだけで、ＳＷ１〜ＳＷ４に設定された機能が意図に反して動作することがない。
【００４９】
なお、カードエッジ１ａの上下側接点面に設けられる電気接点をそれぞれ１７個としたがこれに限らず、１８個以上でもよく、この場合適宜電源あるいは信号用の電気接点間にＮＣ接点を配置すればより効果的に電気的な影響を抑制することが可能となる。
【００５０】
本発明は、上述した実施例に限定されるものではなく、本発明の要旨を変えない範囲において、種々の変更、改変等が可能である。
【図面の簡単な説明】
【００５１】
【図１】本発明の実施例１に係る内視鏡装置の構成を示す構成図
【図２】図１の内視鏡用撮像カメラ装置の構成を示すブロック図
【図３】図１の電子内視鏡の構成を示すブロック図
【図４】図１のビデオプロセッサの構成を示すブロック図
【図５】図４の第１のアイソレーション回路の構成を示す図
【図６】図４の第１のアイソレーション回路の変形例の構成を示す図
【図７】図１の内視鏡用コネクタ装置を矢印Ａからみた矢視図
【図８】図７の電気接点の割付を説明図
【符号の説明】
【００５２】
１…内視鏡用コネクタ装置
１ａ…カードエッジ
１ｂ…プラグ
２…ＴＶモニタ
３…ビデオプロセッサ
３ａ…レセプタクル
４…電子内視鏡
５…内視鏡用撮像カメラ装置
６…ケーブル
２０１Ａ〜２１７Ａ、２０１Ｂ〜２１７Ｂ…電気接点
代理人    弁理士    伊藤  進
【図１】
0004656842.tif 000002
【図２】
0004656842.tif 000003
【図３】
0004656842.tif 000004
【図４】
0004656842.tif 000005
【図５】
0004656842.tif 000006
【図６】
0004656842.tif 000007
【図７】
0004656842.tif 000008
【図８】
0004656842.tif 000009